(57)【要約】【課題】衝撃吸収性と収納性を兼ね備えた防災頭巾を提供する。【解決手段】防災頭巾１０は、上部から両側部に亘って配設された樹脂発泡体からなる衝撃吸収材２０と、この衝撃吸収材２０を覆う難燃性の表地１６とを有している。衝撃吸収材２０は、上部から両側部に亘って配設された１枚の第１板状体２２と、上部において第１板状体２２の裏側に重ね合わせて配設された第２板状体２４とから構成され、防災頭巾１０の上部が両側部よりも厚く形成されている。【選択図】図４
0003175250.tif 000002
【実用新案登録請求の範囲】
【請求項１】
前方および下方で開口する袋状に形成された防災頭巾において、
上部から両側部に亘って配設された樹脂発泡体からなる衝撃吸収材と、この衝撃吸収材を覆う難燃性の表地とを有し、
前記衝撃吸収材は、上部が両側部よりも厚く形成された
ことを特徴とする防災頭巾。
【請求項２】
前記衝撃吸収材は、上部から両側部に亘って配設された１枚の第１板状体と、上部において第１板状体に重ね合わせて配設された第２板状体とから構成された請求項１記載の防災頭巾。
【請求項３】
前記第１板状体および前記第２板状体は、前記表地と合わせて該第２板状体の両側縁部で前後に縫合されると共に、頂部に対応する部位において前後に沿った１本のラインで縫合された請求項２記載の防災頭巾。
【請求項４】
前記第１板状体および前記第２板状体は、前記表地と合わせて該第２板状体の両側縁部で前後に縫合されると共に、頂部に対応する部位において後側から前側に向かうにつれて拡開する２本のラインで縫合された請求項２記載の防災頭巾。
【請求項５】
前記樹脂発泡体として、メラミンフォームを用いた請求項１〜４の何れか一項に記載の防災頭巾。
【考案の詳細な説明】
【技術分野】
【０００１】
この考案は、頭部を保護する防災頭巾に関するものである。
【背景技術】
【０００２】
地震などの災害時に頭部を保護するために被る防災頭巾として、様々なものが提案されている(例えば特許文献１参照)。特許文献１に開示の防災頭巾は、フェルト、綿、発泡体またはこれらの複合体からなる衝撃吸収材で全体が形成されており、この衝撃吸収材によって落下物からの頭部の保護を図っている。
【先行技術文献】
【特許文献】
【０００３】
【特許文献１】実用新案登録第３０９３２０６号公報
【考案の概要】
【考案が解決しようとする課題】
【０００４】
防災頭巾は、災害発生時に使われるものなので、普段の収納時にコンパクトに畳めることが求められる。しかしながら、防災頭巾は、収納時の形態を小型化するために衝撃吸収材の厚みを薄くすると、使用時の衝撃吸収性能を担保することができず、収納性と衝撃吸収性能とを両立させることが困難である。
【０００５】
すなわち本考案は、従来の技術に係る防災頭巾に内在する前記問題に鑑み、これらを好適に解決するべく提案されたものであって、良好な衝撃吸収性を有し、収納形態を小型化できる防災頭巾を提供することを目的とする。
【課題を解決するための手段】
【０００６】
前記課題を克服し、所期の目的を達成するため、本願の請求項１に係る考案の防災頭巾は、
前方および下方で開口する袋状に形成された防災頭巾において、
上部から両側部に亘って配設された樹脂発泡体からなる衝撃吸収材と、この衝撃吸収材を覆う難燃性の表地とを有し、
前記衝撃吸収材は、上部が両側部よりも厚く形成されたことを要旨とする。
請求項１に係る考案によれば、装着時に頭部を覆う防災頭巾の上部は、衝撃吸収材が厚くなっているので、良好な衝撃吸収性を示す。また、防災頭巾の側部は、衝撃吸収材が薄いので、上部を軸としてまるめればコンパクトにまとめることができる。
【０００７】
請求項２に係る考案では、前記衝撃吸収材は、上部から両側部に亘って配設された１枚の第１板状体と、上部において第１板状体に重ね合わせて配設された第２板状体とから構成されたことを要旨とする。
請求項２に係る考案によれば、表地と衝撃吸収材とを縫合するのに合わせて衝撃吸収材の厚さを調節することができる。
【０００８】
請求項３に係る考案では、前記第１板状体および前記第２板状体は、前記表地と合わせて該第２板状体の両側縁部で前後に縫合されると共に、頂部に対応する部位において前後に沿った１本のラインで縫合されたことを要旨とする。
請求項３に係る考案によれば、縫合した部分で折り曲げることができるので、頭部に合わせて形状を保持させ易い。
【０００９】
請求項４に係る考案では、前記第１板状体および前記第２板状体は、前記表地と合わせて該第２板状体の両側縁部で前後に縫合されると共に、頂部に対応する部位において後側から前側に向かうにつれて拡開する２本のラインで縫合されたことを要旨とする。
請求項４に係る考案によれば、縫合した部分で折り曲げることができるので、頭部に合わせて形状を保持させ易い。
【００１０】
請求項５に係る考案では、前記樹脂発泡体として、メラミンフォームを用いたことを要旨とする。
請求項５に係る考案によれば、メラミンフォームを用いることで、防火性能を向上し得る。
【考案の効果】
【００１１】
本考案に係る防災頭巾によれば、良好な衝撃吸収性を有し、収納形態を小型化できる。
【図面の簡単な説明】
【００１２】
【図１】本考案の好適な実施例に係る防災頭巾を示す正面図である。
【図２】実施例の防災頭巾を示す側面図である。
【図３】実施例の防災頭巾の平面図である。
【図４】図２のＡ−Ａ線で破断した要部断面図である。
【図５】実施例の防災頭巾を畳んだ状態を示す概略斜視図である。
【図６】(ａ)は変更例の防災頭巾を示す平面図であり、(ｂ)は変更例の防災頭巾を示す要部正面図である。
【考案を実施するための形態】
【００１３】
次に、本考案に係る防災頭巾につき、好適な実施例を挙げて、添付図面を参照して以下に説明する。なお、以下の説明において、防災頭巾は、頭部に被せた状態を基準として前後左右を指称する。
【実施例】
【００１４】
図１に示すように、実施例に係る防災頭巾１０は、上部および後部が閉塞する一方、前方および下方で開口する袋状に形成されており、装着時に人の頭部から肩部までを覆い得る大きさで構成されている。防災頭巾１０は、前方開口１０ａにおける左右の開口縁の夫々に繋がったあごひも１２を有し、あごひも１２を通したゴムチューブ１４の位置によって頭部への装着状態を調節し得るようになっている。また、防災頭巾１０には、左右の両側部に耳の位置に合わせて通口１１が設けられている。
【００１５】
図４に示すように、防災頭巾１０は、表側に露出する難燃性の表地１６と、内側に臨む裏地１８と、表地１６および裏地１８の間に配設された弾力性を有する衝撃吸収材２０とを有している。防災頭巾１０は、上部から左右の側部に亘って衝撃吸収材２０が配設され、装着時に頭部だけでなく肩部についても衝撃吸収材２０で覆い得るようになっている。また、防災頭巾１０では、表地１６と裏地１８とからなる袋中に衝撃吸収材２０が封入されている。なお、防災頭巾１０は、後部下側において表地１６が頂部よりも幅広に形成された余長部１７が設けられ(図２参照)、頂部よりも下方開口１０ｂを大きく広げることができるようになっている。
【００１６】
前記表地１６は、ポリエステル等の合成樹脂繊維に、ペンタブロモジフェニルエーテルやオクタブロモジフェニルエーテルやデカブロモジフェニルエーテルやテトラブロモビスフェノールＡやヘキサブロモシクロドデカンなどの臭素系、トリフェニルホスフェートなどの芳香族のリン酸エステルや赤リンなどのリン系、 塩素化パラフィンなどの塩素系の難燃剤で表面処理して難燃化した柔軟な布地が用いられる。裏地１８は、綿等の天然素材やポリエステルなど合成樹脂繊維からなる柔軟な布地が用いられ、通気性や吸水性を有しているものが好ましい。
【００１７】
前記衝撃吸収材２０は、ウレタンフォームやメラミンフォームなどの樹脂発泡体が用いられ、実施例では防火性能の観点から難燃性を備えたメラミンフォームを用いている。ここで、メラミンフォームとしては、密度が９．５ｇ／ｃｍ３±２(試験方法；ＥＮＩＳＯ８４５)で、１５０℃での使用に耐え得る耐熱性能を有する、例えば株式会社イノアックコーポレーション製「バソテクト」が挙げられる。
【００１８】
図４に示すように、衝撃吸収材２０は、防災頭巾１０の上部に対応する部位が防災頭巾の左右の側部に対応する部位よりも厚く形成されている。衝撃吸収材２０は、上部から左右の側部に亘って配設された１枚の第１板状体２２と、防災頭巾１０の上部において第１板状体２２の裏側に重ね合わせて配設された１枚の第２板状体２４とから構成されている。このように、衝撃吸収材２０は、複数の板状体２２,２４を組み合わせて防災頭巾１０の部位に応じて厚みを調節している。防災頭巾１０は、表地１６と裏地１８との間に衝撃吸収材２０を挟んでこれらを糸で縫合して、表地１６、裏地１８および衝撃吸収材２０が一体化されており、縫合部２６,２８,３０において衝撃吸収材２０が圧縮されている(図１〜図４参照)。
【００１９】
図４に示すように、第１板状体２２および前記第２板状体２４は、表地１６および裏地１８と合わせて、第２板状体２４の両側縁部で前後に沿ったラインで縫合されると共に、防災頭巾１０の頂部に対応する部位において前後に沿った直線な１本のラインで縫合される。図３に示すように、防災頭巾１０には、上部に左右に離間して前後に延在する一対の第１縫合部２６,２６が形成されると共に、両第１縫合部２６,２６の間に前後に延在する１本の第２縫合部２８が形成され、装着時に第１縫合部２６,２６および第２縫合部２８で折り曲げて頭部に合わせて上部の形状を整えることができるようになっている。また、防災頭巾１０には、左右の側部の夫々に左右対称の関係で第３縫合部３０が形成され(図２参照)、第３縫合部３０で折り曲げて装着時に下部を肩部に合わせて整えることができるようになっている。
【００２０】
実施例の防災頭巾１０によれば、装着時に頭部を覆う上部について衝撃吸収材２０が第１板状体２２と第２板状体２４とから構成されて、第１板状体２２だけの側部と比べて厚くなっているので、上部において頭部を適切に保護し得る良好な衝撃吸収性を示す。ここで、ゴムや綿などのクッション性を有する材質と比べて、単位体積当たりの質量が小さく、衝撃吸収性に優れた樹脂発泡体を衝撃吸収材２０として用いているので、良好な衝撃吸収性と共に防災頭巾を軽量化することができる。また、防災頭巾１０の上部は、第１縫合部２６,２６および第２縫合部２８で折り曲げ可能になっているので装着し易い。そして、防災頭巾１０の上部に設ける縫合部２６,２６,２８を最小限に抑えているので、縫合部２６,２６,２８で衝撃吸収材２０を圧縮することによる衝撃吸収性の低下を回避することができる。
【００２１】
図２に示すように、防災頭巾１０は、非装着状態において、第２縫合部２８で折り曲がった略矩形状であり、側部の衝撃吸収材が薄いので、上部を軸としてまるめればコンパクトにまとめることができる(図５参照)。ここで、防災頭巾１０の上部は、側部よりも衝撃吸収材２０が厚いので、上部が芯材の如く機能するのでまるめ易い。すなわち、防災頭巾１０は、頭部の保護する良好な衝撃吸収性を有しつつ、収納形態を小型化できる。
【００２２】
(変更例)
前述した実施例の構成に限定されず、以下のようにも変更可能である。
(１)図６に示す変更例の防災頭巾４０のように、第１板状体２２および第２板状体２４を、表地１６と合わせて第２板状体２４の両側縁部で前後に縫合すると共に、頂部に対応する部位において後側から前側に向かうにつれて拡開する２本のラインで縫合してもよい。すなわち、変更例の防災頭巾４０には、上部に左右に離間して前後に延在する一対の第１縫合部２６,２６が形成されると共に、両第１縫合部２６,２６の間に前後に延在する２本の第２縫合部２８,２８が前方に開く略Ｖ字状に形成され、装着時に第１縫合部２６,２６および両第２縫合部２８,２８で折り曲げて頭部に合わせて上部の形状を整えることができるようになっている。変更例の防災頭巾４０によれば、前述した実施例と同様の作用効果を示すと共に、実施例と比べて装着時の形状保持性を向上することができる。図６の変更例において、実施例と同様の構成には、実施例と同じ符号を付してある。
(２)実施例の防災頭巾は、側面視で略矩形状に形成したが、頭部に対応して湾曲した形状など、適宜形状とし得る。
(３)実施例の衝撃吸収材は、第１板状体の裏側に第２板状体を重ねた構成であるが、第１板状体の表側に第２板状体を重ねた構成であってもよい。
【符号の説明】
【００２３】
１６  表地，２０  衝撃吸収材，２２  第１板状体，２４  第２板状体
【図１】
0003175250.tif 000003
【図２】
0003175250.tif 000004
【図３】
0003175250.tif 000005
【図４】
0003175250.tif 000006
【図５】
0003175250.tif 000007
【図６】
0003175250.tif 000008